(57)【要約】【課題】摩擦や衝撃に対して画質の劣化が低減可能な液晶表示装置を提供する。【解決手段】ＴＦＴ基板と、ＣＦ基板と、ＴＦＴ基板とＣＦ基板に狭持された液晶とを備え、横方向電界で液晶を駆動する液晶表示装置において、ＴＦＴ基板は凹部を有し、ＣＦ基板は柱状の凸部１０５ｂを有し、ＣＦ基板の凸部１０５ｂは、ＴＦＴ基板の凹部に嵌合することにより、ＴＦＴ基板とＣＦ基板とのずれを防止するストッパーとして機能する。【選択図】図１Ｂ
2015075606.tif 000002
【特許請求の範囲】
【請求項１】
第１基板と、第２基板と、前記第１基板と前記第２基板に狭持された液晶とを備え、横方向電界で前記液晶を駆動する液晶表示装置において、
前記第１基板は凹部を有し、
前記第２基板は柱状の凸部を有し、
前記第２基板の凸部は、前記第１基板の凹部に嵌合することにより、前記第１基板と前記第２基板とのずれを防止するストッパーとして機能することを特徴とする液晶表示装置。
【請求項２】
請求項１記載の液晶表示装置において、
前記第２基板は、ブラックマトリクス（ＢＭ）膜を有し、
前記凹部は、前記第１基板にサブ画素毎に配置された壁状突起の延長線上に配置され、
前記凸部は、平面的に見て前記ＢＭ膜と重なる領域に配置され、前記第１基板と前記第２基板との間のセルギャップを保持する柱状スペーサであることを特徴とする液晶表示装置。
【請求項３】
請求項２記載の液晶表示装置において、
前記柱状スペーサは、前記壁状突起よりも０．１〜１．０μｍの範囲で高いことを特徴とする液晶表示装置。
【請求項４】
請求項２記載の液晶表示装置において、
前記第２基板は、少なくとも青色フィルタ、赤色フィルタ、緑色フィルタを有し、前記第１基板との間で少なくとも青色サブ画素、赤色サブ画素、緑色サブ画素を構成しており、
前記柱状スペーサは、前記青色サブ画素と前記赤色サブ画素との境界に配置されていることを特徴とする液晶表示装置。
【請求項５】
請求項２記載の液晶表示装置において、
前記柱状スペーサの側壁の前記第２基板に対する傾斜角度は、前記壁状突起の側壁の前記第１基板に対する傾斜角度よりも大きいことを特徴とする液晶表示装置。
【請求項６】
請求項２記載の液晶表示装置において、
前記第１基板の前記壁状突起の上部に形成される配向膜は、光配向膜であることを特徴とする液晶表示装置。
【請求項７】
請求項１記載の液晶表示装置において、
前記第１基板は、走査信号線であるゲート配線を有し、
前記第２基板は、ブラックマトリクス（ＢＭ）膜を有し、
前記凹部は、平面的に見て前記第１基板と前記第２基板との間のセルギャップを保持する壁スペーサの延長線と、前記ゲート配線との交差領域に形成され、
前記凸部は、平面的に見て前記ＢＭ膜と重なる領域に形成された柱状突起であることを特徴とする液晶表示装置。
【請求項８】
請求項７記載の液晶表示装置において、
前記第２基板は、少なくとも青色フィルタ、赤色フィルタ、緑色フィルタを有し、前記第１基板との間で少なくとも青色サブ画素、赤色サブ画素、緑色サブ画素を構成しており、
前記柱状突起は、前記青色サブ画素と前記赤色サブ画素との境界に配置されていることを特徴とする液晶表示装置。
【請求項９】
請求項７記載の液晶表示装置において、
前記柱状スペーサの側壁の前記第２基板に対する傾斜角度は、前記壁状突起の側壁の前記第１基板に対する傾斜角度よりも大きいことを特徴とする液晶表示装置。
【請求項１０】
請求項１記載の液晶表示装置において、
前記第１基板は、下層に形成された導電領域との電気的接触を取るためのコンタクトホールを有し、
前記第２基板は、ブラックマトリクス（ＢＭ）膜を有し、
前記凹部は、平面的に見て前記第１基板に形成された前記コンタクトホールと重なる位置に形成されており、
前記凸部は、平面的に見て前記ＢＭ膜と重なる領域に配置され、前記第１基板と前記第２基板との間のセルギャップを保持する柱状スペーサであることを特徴とする液晶表示装置。
【請求項１１】
請求項１０記載の液晶表示装置において、
前記第１基板は、前記横方向電界を形成するための電極が形成された壁状突起を有し、
前記柱状スペーサは、前記壁状突起よりも０．１〜１．０μｍの範囲で高いことを特徴とする液晶表示装置。
【請求項１２】
請求項１０記載の液晶表示装置において、
前記第２基板は、少なくとも青色フィルタ、赤色フィルタ、緑色フィルタを有し、前記第１基板との間で少なくとも青色サブ画素、赤色サブ画素、緑色サブ画素を構成しており、
前記柱状スペーサは、前記青色サブ画素領域に配置されていることを特徴とする液晶表示装置。
【請求項１３】
請求項１０記載の液晶表示装置において、
前記柱状スペーサの側壁の前記第２基板に対する傾斜角度は、前記コンタクトホール部の側壁の前記第１基板に対する傾斜角度よりも大きいことを特徴とする液晶表示装置。
【請求項１４】
第１基板と、ブラックマトリクス（ＢＭ）膜が形成された第２基板と、前記第１基板と前記第２基板に狭持された液晶とを備え、横方向電界で前記液晶を駆動する液晶表示装置において、
前記第１基板は、第１電極が設けられた壁状突起と、互いに隣接する前記壁状突起の間に設けられ前記第１電極との間で前記横方向電界を形成する第２電極とをサブ画素毎に有し、
前記第２基板は、平面的に見て前記ＢＭ膜が形成された領域内であって、前記サブ画素に配置された前記壁状突起の延長線上の凹部に対応して配置され、前記第１基板と前記第２基板との間のセルギャップを保持する柱状スペーサを有し、
前記柱状スペーサは、前記サブ画素に設けられた前記壁状突起の凹部に嵌合することにより、前記第１基板と前記第２基板とのずれを防止するストッパーとして機能することを特徴とする液晶表示装置。
【請求項１５】
ＴＦＴが形成された第１基板と、ブラックマトリクス（ＢＭ）膜が形成された第２基板と、前記第１基板と前記第２基板に狭持された液晶とを備え、横方向電界で前記液晶を駆動する液晶表示装置において、
前記第１基板は、第１電極が設けられた壁状突起と、互いに隣接する前記壁状突起の間に設けられ前記第１電極との間で前記横方向電界を形成する第２電極と、前記ＴＦＴを構成する導電領域との電気的接触を取るためのコンタクトホール部とをサブ画素毎に有し、
前記第２基板は、平面的に見て前記ＢＭ膜が形成された領域内であって、前記サブ画素に配置された前記コンタクトホール部に対応して配置され、前記第１基板と前記第２基板との間のセルギャップを保持する柱状スペーサを有し、
前記柱状スペーサは、前記サブ画素に設けられた前記コンタクトホール部に嵌合することにより、前記第１基板と前記第２基板とのずれを防止するストッパーとして機能することを特徴とする液晶表示装置。
【発明の詳細な説明】
【技術分野】
【０００１】
本発明は、横電界方式（ＩＰＳ：In Plane Switching）の液晶表示装置に関する。
【背景技術】
【０００２】
ＩＰＳ液晶表示装置は、液晶層を駆動する電界をＴＦＴ基板主面に略平行な方向（横方向）とする方式であり、縦電界で駆動するツイストッドネマティック（ＴＮ）方式に比べて視野角が広い。
【０００３】
しかしながら、ＩＰＳ液晶表示装置は、広い視野角を有するものの、電極が平面配置となるため開口率が小さく、透過率が低いという問題がある。この問題に対し、例えば、壁電極ＩＰＳ液晶表示装置が提案されている（特許文献１〜３、非特許文献１）。壁電極ＩＰＳ液晶表示装置は、電極を壁構造とするもので、電極自体を壁状に形成するものと、壁状の絶縁膜の側壁に電極を形成するものがある。いずれにしても、電極の実質的な面積を確保しつつ平面上の面積を低減して開口率を確保し、透過率を高めることができる。
【先行技術文献】
【特許文献】
【０００４】
【特許文献１】特開平６−２１４２４４号公報
【特許文献２】特開平６−３３２０１４号公報
【特許文献３】特開平１１−２３１３４４号公報
【非特許文献】
【０００５】
【非特許文献１】Proceedings of China Display/Asia Display 2011, P2-23, p597-600
【発明の概要】
【発明が解決しようとする課題】
【０００６】
発明者等は、視野角と透過率の両立が可能と思われる壁電極ＩＰＳ液晶表示装置について検討した。発明者等が検討した液晶表示装置の要部平面図を図２Ａに示す。本液晶表示装置においては、ＴＦＴ基板側に設けられた高さ３μｍの壁状の絶縁膜（壁）２１０の側壁に画素電極である壁電極２０３が形成され、互いに隣接する壁電極と壁電極２０３との間に対向電極（コモン電極）２１１が配置された構成を有し、壁電極２０３と対向電極２１１との間に平行電界が形成される。壁２１０に沿って、対向基板（ＣＦ基板）上に形成されたブラックマトリクス（ＢＭ）膜１０２が配置されている。なお、符号３２０はサブ画素を示し、赤色、緑色、青色のサブ画素で画素が構成される。図２Ｂに、図２ＡのＡ−Ｂラインでの断面図を示す。壁２１０は、画像信号線となるドレイン配線２０４を被う絶縁膜上に形成されており、更にその上に対向電極２１１が形成されている。壁電極２０３は絶縁膜を介して壁２１０の側壁に形成されている。液晶層３００は、ガラス基板１０１上に形成されたブラックマトリクス膜１０２、カラーフィルタ１０３（赤フィルタ１０３Ｒ、青フィルタ１０３Ｂ、緑フィルタ１０３Ｇ）、オーバーコート（ＯＣ）膜１０４が形成された対向基板とＴＦＴ基板との間にそれぞれ配向膜１５０を介して狭持されている。本液晶表示装置では、側壁にも配向膜が形成されるため光配向膜が好適である。符号２０５は絶縁膜を示す。
【０００７】
このような構成を有する液晶表示装置では、下記の課題が明らかとなった。即ち、光配向技術を適用した壁電極ＩＰＳ液晶表示装置では、電極が形成されている壁構造が上下基板の間のセルギャップを保持する構成となっている。そのため、ディスプレイ上での摩擦や衝撃による上下基板の位置ずれが発生すると、壁の移動による対向基板の配向膜上の傷による配向不良や膜剥れ屑による輝点発生等の不良表示が危惧される。また温度変化、特に低温時に衝撃が加わると、液晶層と壁との熱収縮差から気泡発生による表示不良が危惧される。
【０００８】
特許文献１〜２、非特許文献１は壁電極の壁でセルギャップを保持する構成だが、上記課題に関する記載はない。また、特許文献３には、共通電極や画素電極の厚さがセル厚の１００％の場合にはスペーサの役目を果たすことが記載されているが、その場合の上記課題に関する記載はない。更に、共通電極や画素電極の厚さがセル厚の１００％未満の場合のセルギャップ保持の構成については記載されていない。又、上記何れの文献にも光配向膜の適用に関しては未記載である。
【０００９】
本発明の目的は、摩擦や衝撃に対して画質の劣化が低減可能な液晶表示装置を提供することにある。
【課題を解決するための手段】
【００１０】
上記目的を達成するための一実施形態として、第１基板と、第２基板と、前記第１基板と前記第２基板に狭持された液晶とを備え、横方向電界で前記液晶を駆動する液晶表示装置において、
前記第１基板は凹部を有し、
前記第２基板は柱状の凸部を有し、
前記第２基板の凸部は、前記第１基板の凹部に嵌合することにより、前記第１基板と前記第２基板とのずれを防止するストッパーとして機能することを特徴とする液晶表示装置とする。
【００１１】
また、第１基板と、ブラックマトリクス（ＢＭ）膜が形成された第２基板と、前記第１基板と前記第２基板に狭持された液晶とを備え、横方向電界で前記液晶を駆動する液晶表示装置において、
前記第１基板は、第１電極が設けられた壁状突起と、互いに隣接する前記壁状突起の間に設けられ前記第１電極との間で前記横方向電界を形成する第２電極とをサブ画素毎に有し、
前記第２基板は、平面的に見て前記ＢＭ膜が形成された領域内であって、前記サブ画素に配置された前記壁状突起の延長線上の凹部に対応して配置され、前記第１基板と前記第２基板との間のセルギャップを保持する柱状スペーサを有し、
前記柱状スペーサは、前記サブ画素に設けられた前記壁状突起の凹部に嵌合することにより、前記第１基板と前記第２基板とのずれを防止するストッパーとして機能することを特徴とする液晶表示装置とする。
【００１２】
また、ＴＦＴが形成された第１基板と、ブラックマトリクス（ＢＭ）膜が形成された第２基板と、前記第１基板と前記第２基板に狭持された液晶とを備え、横方向電界で前記液晶を駆動する液晶表示装置において、
前記第１基板は、第１電極が設けられた壁状突起と、互いに隣接する前記壁状突起の間に設けられ前記第１電極との間で前記横方向電界を形成する第２電極と、前記ＴＦＴを構成する導電領域との電気的接触を取るためのコンタクトホール部とをサブ画素毎に有し、
前記第２基板は、平面的に見て前記ＢＭ膜が形成された領域内であって、前記サブ画素に配置された前記コンタクトホール部に対応して配置され、前記第１基板と前記第２基板との間のセルギャップを保持する柱状スペーサを有し、
前記柱状スペーサは、前記サブ画素に設けられた前記コンタクトホール部に嵌合することにより、前記第１基板と前記第２基板とのずれを防止するストッパーとして機能することを特徴とする液晶表示装置とする。
【発明の効果】
【００１３】
本発明によれば、摩擦や衝撃に対して画質の劣化が低減可能な液晶表示装置を提供することができる。
【図面の簡単な説明】
【００１４】
【図１Ａ】本発明の実施の形態に係る液晶表示装置の概略要部平面図である。
【図１Ｂ】図１に示すＡ−Ｂラインにおける液晶表示装置の概略要部断面図である。
【図１Ｃ】図１に示すＡ−Ｂラインにおける他の液晶表示装置の概略要部断面図である。
【図２Ａ】発明者等が検討した壁電極ＩＰＳ液晶表示装置の概略要部平面図である。
【図２Ｂ】図２Ａに示すＡ−Ｂラインにおける壁電極ＩＰＳ液晶表示装置の概略要部断面図である。
【図３Ａ】本発明の第１の実施例に係る液晶表示装置の概略要部平面図である。
【図３Ｂ】図３Ａに示すＡ−Ｂラインにおける液晶表示装置の概略要部断面図である。
【図４Ａ】本発明の第２の実施例に係る液晶表示装置の概略要部平面図である。
【図４Ｂ】図４Ａに示すＡ−Ｂラインにおける液晶表示装置の概略要部断面図である。
【図５Ａ】本発明の第３の実施例に係る液晶表示装置の概略要部平面図である。
【図５Ｂ】図５Ａに示すＡ−Ｂラインにおける液晶表示装置の概略要部断面図である。
【発明を実施するための形態】
【００１５】
発明者等は、上記課題を解決するために、積層されたＴＦＴ基板とＣＦ基板とが互いに位置ずれしないようＣＦ基板側の遮光ＢＭ膜形成領域にストッパー（柱状スペーサ或いは柱状突起等）を配置する構成とした。図１Ａに本実施の形態に係る液晶表示装置の概略要部平面図を示す。画素電極である壁電極２０３が壁２１０の側壁に形成されており、上下に隣接するサブ画素間で壁２１０の無い遮光ＢＭ膜１０２の形成領域にストッパー（柱状スペーサ或いは柱状突起等）１０５が設けられている。図１Ｂと図１Ｃは、図１ＡのＡ−Ｂラインにおける液晶表示装置の概略要部断面図であり、図１Ｂはストッパー１０５が柱状スペーサ１０５ａの場合、図１Ｃはストッパー１０５が柱状突起１０５ｂの場合を示す。
【００１６】
図１Ｂに示す壁電極ＩＰＳ液晶表示装置において、壁電極が形成されているＴＦＴ基板に対向するＣＦ基板に形成された遮光ＢＭ膜上部にＯＣ膜１０４を介して液晶セルギャップを保持するストッパー（柱状スペーサ）１０５ａが形成されている。壁電極が形成されている壁状突起（壁）２１０の高さは、液晶セルギャップ（柱状スペーサの高さ）よりも低く形成されている。柱状スペーサ１０５ａが壁２１０の間に配置されることにより、上下基板に力が加わっても上下基板がずれ難い。又、万一上下の基板がずれても壁２１０とＯＣ膜１０４との間にはスペースがあるため、上下基板の界面でのダメージが生じ難い。これにより、ディスプレイ上の摩擦や衝撃に対して表示画質劣化（コントラスト低下など）が低減・防止された液晶表示装置を実現できる。なお、壁２１０に直交する方向に延びる遮光ＢＭ膜の領域には、平面的に見て重なるように走査信号線となるゲート配線（図示せず）が配置されている。
【００１７】
図１Ｃに示す壁電極ＩＰＳ液晶表示装置において、壁電極が形成されている壁スペーサ（壁）２１０が液晶セルギャップを保持するように形成され、前記壁２１０の延長線上でゲート配線（図示せず）との交差領域に凹部が形成され、その位置に嵌合し、対向基板の遮光ＢＭ膜１０２の位置に平面的に見て重なるようにＯＣ膜１０４を介して形成されたストッパー（柱状突起）１０５ｂが配置されている。これにより、上下基板の位置ずれが低減・防止され、ディスプレイ上の摩擦や衝撃に対して表示画質劣化が低減・防止された液晶表示装置を実現できる。
【００１８】
なお、本発明は、壁状の絶縁膜の側壁に電極を形成した液晶表示装置に限らず、電極自体を壁状に形成した液晶表示装置にも適用することができる。
以下、本発明について実施例により詳細に説明する。なお、同一符号は同一構成要素を示す。
【実施例１】
【００１９】
本発明の第１の実施例について図３Ａ及び図３Ｂを用いて説明する。
図３Ａは本実施例に係る液晶表示装置の概略要部平面図であり、図３Ｂは図３Ａに示すＡ−Ｂラインにおける概略要部断面図である。壁電極２０３が形成されているＴＦＴ基板に対向するＣＦ基板の遮光ＢＭ膜１０２に平面的に見て重なる領域に液晶セルギャップを保持すると共に、ストッパーの機能を備えた柱状スペーサ１０５ａが形成されている。柱状スペーサ１０５ａが壁２１０の間の凹部に嵌合しているため、上下基板に力が加わっても上下基板がずれ難い。また、壁電極２０３が形成されている壁状突起（壁）２１０の高さは、液晶セルギャップ（柱状スペーサの高さ：約３μｍ）より０．１〜１．０μｍ程度低く形成されている。これにより、仮に上下の基板がずれても壁状突起２１０とＯＣ膜１０４との間にはスペースがあるため、上下基板の配向膜がダメージを受け難い。これにより、ディスプレイ上の摩擦や衝撃により生じる上下基板の摩擦ずれによる配向膜削れや気泡発生が抑制され、表示画質劣化（配向不良に伴うコントラスト低下、輝点発生等）が低減・防止された液晶表示装置を実現できる。なお、柱状スペーサを用いる場合、壁状突起の高さがそれよりも低くなるが、０．１μｍ〜０．３μｍなら壁電極としての機能には影響しない。但し、差があるほど外力に対する耐性が高まる。本実施例では壁電極としての機能と外力に対する耐性を考慮して１．０μｍを上限とした。
【００２０】
また、配向膜として光配向膜を用いることにより、壁電極であってもその上に形成された配向膜に対して液晶配向規制力を付与することができ、コントラストを改善することができる。
【００２１】
また、柱状スペーサ１０５ａを配置する場所としては、図３Ａに示すように青色サブ画素（Ｂ）と赤色サブ画素（Ｒ）との境界に形成されている壁の延長線と、それにほぼ直交するゲート配線（図示せず）の交差部分の凹部とし、一番明るく感じられる緑色サブ画素（Ｇ）との境界部分は避けることが望ましい。また本実施例では青色サブ画素（Ｂ）、赤色サブ画素（Ｒ）、緑色サブ画素（Ｇ）の３色の構成になっているが、白色サブ画素（Ｗ）を含むような４色の構成でも上記同様に柱状スペーサ１０５ａは（Ｂ）と（Ｒ）の境界に形成することが望ましい。なお、ゲート配線は水平方向に延びる遮光ＢＭ膜が形成されている領域に平面的に見て重なって形成されている。
【００２２】
また、対向基板上に形成された柱状スペーサ１０５ａの先端の直径と、前記柱状スペーサ１０５ａとが嵌合する壁状突起２１０の凹部底面の幅凹部の幅とを同程度とし、対向基板上に対する柱状スペーサ１０５ａの側壁の傾斜角度を、ＴＦＴ基板に対する壁状突起２１０の凹部の側壁の角度よりも急峻とすることにより、凹部の開口径が壁先端の直径よりも大きくなるためＴＦＴ基板と対向基板との位置合わせの裕度が向上する。ここで、上記“同程度”とは、±３μｍの範囲以内を含む。
【００２３】
本構成においては、柱状スペーサ１０５ａが主スペーサで壁状突起２１０がサブスペーサとして機能する。即ち、仮に上下基板に上下から圧縮応力が加わり、万一柱状スペーサが潰されるような場合には壁状突起２１０がスペーサとして機能する。柱状スペーサは潰されてもストッパーとしての機能は保持される。なお、壁状突起２１０に直交する方向に延びる遮光ＢＭ膜の領域には、平面的に見て重なるように走査信号線となるゲート配線（図示せず）が配置されている。
【００２４】
以上本実施例によれば、摩擦や衝撃に対して画質の劣化が低減可能な液晶表示装置を提供することができる。また、配向膜として光配向膜を用いることにより、コントラストを改善することができる。
【実施例２】
【００２５】
本発明の第２の実施例について図４Ａ及び図４Ｂを用いて説明する。なお、実施例１に記載され本実施例に未記載の事項は特段の事情が無い限り本実施例にも適用することができる。
図４Ａは本実施例に係る液晶表示装置の概略要部平面図であり、図４Ｂは図４Ａに示すＡ−Ｂラインにおける概略要部断面図である。本実施例に係る壁電極ＩＰＳ液晶表示装置においては、壁電極が形成されている壁スペーサ２１０が液晶セルギャップを保持するように形成され、前記壁スペーサ２１０の延長線とゲート配線との交差領域の壁スペーサ２１０に凹部が形成され、その位置に対向基板に設けられた遮光ＢＭ膜と平面的に重なる領域にストッパー機能を有する柱状突起１０５ｂが配置されている。柱状突起１０５ｂが壁スペーサ２１０の凹部に嵌合しているため、上下基板の位置ずれ防止のストッパーとして機能する。本実施例では、特に壁スペーサ２１０の頂部がＣＦ基板側の配向膜１５０と接触することで誘発される配向膜の削れを防止可能である。これにより、ディスプレイ上の摩擦や衝撃により生じる上下基板の摩擦ずれによる配向膜削れや気泡発生が抑制され、表示画質劣化（配向不良に伴うコントラスト低下、輝点発生等）が低減・防止された液晶表示装置を実現できる。
【００２６】
また、柱状突起１０５ｂを配置する場所としては、図４Ａに示すように青色サブ画素（Ｂ）と赤色サブ画素（Ｒ）との境界に形成されている壁スペーサの延長線と、それにほぼ直交するゲート配線（図示せず）の交差部分の凹部とし、一番明るく感じられる緑色サブ画素（Ｇ）との境界部分は避けることが望ましい。また本実施例では青色サブ画素（Ｂ）、赤色サブ画素（Ｒ）、緑色サブ画素（Ｇ）の３色の構成になっているが、白色サブ画素（Ｗ）を含むような４色の構成でも上記同様に柱状スペーサ１０５ａは（Ｂ）と（Ｒ）の境界に形成することが望ましい。なお、ゲート配線は水平方向に延びる遮光ＢＭ膜が形成されている領域に平面的に見て重なって形成されている。
【００２７】
また、対向基板上に形成された柱状突起１０５ｂの壁先端の直径は、前記柱状突起１０５ｂが嵌合する壁スペーサ２１０の凹部底面の幅凹部の幅よりも大きく、対向基板上に対する柱状突起１０５ｂの側壁の傾斜角度を、ＴＦＴ基板に対する壁スペーサ２１０の凹部の側壁の角度よりも急峻とする。これにより、柱状突起１０５ｂが壁スペーサ２１０の凹部に食い込み易くなり、上下基板の位置ずれ防止のストッパーとしての機能が向上する。
【００２８】
また、配向膜として光配向膜を用いることにより、壁電極であってもその上に形成された配向膜に対して液晶配向規制力を付与することができ、コントラストを改善することができる。
【００２９】
本実施例によれば、実施例１と同様の効果を得ることができる。また、柱状突起の先端を壁スペーサの凹部側壁に食い込ませることにより、上下基板の位置ずれ防止のストッパーとしての機能が向上する。
【実施例３】
【００３０】
本発明の第３実施例について図５Ａ及び図５Ｂを用いて説明する。なお、実施例１又は２に記載され本実施例に未記載の事項は特段の事情が無い限り本実施例にも適用することができる。
図５Ａは本実施例に係る液晶表示装置の概略要部平面図であり、図５Ｂは図５Ａに示すＡ−Ｂラインにおける概略要部断面図である。本実施例に係る壁電極ＩＰＳ液晶表示装置においては、壁電極２０３が形成されているＴＦＴ基板に対向するＣＦ基板の遮光ＢＭ膜１０２に平面的に見て重なる領域に液晶セルギャップを保持すると共に、ストッパーの機能を備えた柱状スペーサ１０５ａが形成されている。符号２０２は走査信号線であるゲート配線、符号２０６はＴＦＴを示す。なお、画素電極はＴＦＴのソース電極に接続されている。
【００３１】
前記壁電極２０３が形成されている壁状突起２１０の高さは、液晶セルギャップよりも０．１〜１．０μｍ程度小さい。即ち、柱状スペーサが主スペーサで、壁状突起がサブスペーサとして機能する構成である。
【００３２】
また、柱状スペーサ１０５ａは、遮光ＢＭ膜１０２の直下のコンタクトホール部に配置されている。このコンタクトホールは青色サブ画素（Ｂ）内に形成されたものであることが望ましい。
【００３３】
また、柱状スペーサ１０５ａの側壁のガラス基板１０１に対する傾斜角度はコンタクトホール部側壁のガラス基板２０１に対する傾斜角度よりも急（大きい）である構成とした。これにより、コンタクトホール上部での開口部が柱状スペーサ１０５ａの先端部よりも大きくなるため、柱状スペーサ１０５ａがコンタクトホール部に嵌合し易くなる。本実施例の場合、柱状スペーサがコンタクトホール内に嵌合されるため、３６０度全方向からの摩擦や衝撃に対して耐性を高めることができる。
【００３４】
なお、液晶表示装置は、液晶を挟持して配置されたＴＦＴ基板とＣＦ基板を上下に偏光板を配置すると共に、必要に応じてバックライトやタッチパネル等が設けられ、ケースに収納されて完成する。その際、偏光板の軸は、液晶の初期配向の方向３１０に平行、直角に配置される。図５Ａ、図５Ｂに示した構成を含む液晶表示装置と、図２Ａ、図２Ｂに示した液晶表示装置とを−２０℃の低温において衝撃を加えた結果、前者では不良が認められなかったが、後者では表示不良が発生した。
【００３５】
本実施例によれば、実施例１と同様の効果を得ることができる。また、柱状スペーサをコンタクトホール内に嵌合させることにより、実施例１や２の構成に比し、上下基板の位置ずれ防止のストッパーとしての機能が向上する。
【００３６】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることも可能であり、また、ある実施例の構成に他の実施例の構成を加えることも可能である。また、各実施例の構成の一部について、他の構成の追加・削除・置換をすることが可能である。
【符号の説明】
【００３７】
１０１…ガラス基板、１０２…ブラックマトリクス（ＢＭ）膜、１０３…カラーフィルタ（ＣＦ）、１０３Ｒ…赤フィルタ、１０３Ｇ…緑フィルタ、１０３Ｂ…青フィルタ、１０４…オーバーコート（ＯＣ）膜、１０５…ストッパー（柱状スペーサ又は柱状突起）、１０５ａ…柱状スペーサ、１０５ｂ…柱状突起、１５０…配向膜（光配向膜）、２０１…ガラス基板、２０２…ゲート配線、２０３…ソース電極（壁電極）、２０４…ドレイン配線、２０５…絶縁膜、２０６…ＴＦＴ、２１０…壁（壁状突起、壁スペーサ）、２１１…対向電極（コモン電極）、３００…液晶層、３１０…液晶初期配向方向、３２０…サブ画素。
【図１Ａ】
2015075606.tif 000003
【図１Ｂ】
2015075606.tif 000004
【図１Ｃ】
2015075606.tif 000005
【図２Ａ】
2015075606.tif 000006
【図２Ｂ】
2015075606.tif 000007
【図３Ａ】
2015075606.tif 000008
【図３Ｂ】
2015075606.tif 000009
【図４Ａ】
2015075606.tif 000010
【図４Ｂ】
2015075606.tif 000011
【図５Ａ】
2015075606.tif 000012
【図５Ｂ】
2015075606.tif 000013